(57)【要約】      （修正有）【課題】基体を軽量化し使用資材の少量化を実現するブローチ、ペンダント、及びチャーム又はタグの３仕様を共用できる装置を提供する。【解決手段】ブローチ、ペンダント及びチャーム又はタグに共用される同一基体裏面側の空洞化により、基体の重量を軽量化し、使用資材を少量化し消費者の利便性を向上させ、経済負担を軽減化し、又経済産業上の生産性を向上させ、ペンダント仕様及びチャーム又はタグ仕様の場合、空洞化された裏面側上部の２箇所に、リング類で構成される簡潔な係止装置を設置し、２本組み吊下げ用紐又はチェーン２ａの着脱自在な操作を簡略化し、又ブローチ仕様の場合、同一基体裏面側の空洞化された中央底部に低く設置された基台に、ハンガー類、ピン類又はクリップ類等の係止器具を固定し、ハンガー類、ピン類又はクリップ類等の係止器具がペンダント使用時に惹起する突起物の違和感を着用者から解放し、又、所有者のカバン類のチャーム又はタグとして付けられる。【選択図】図２
0003199971.tif 000002
【実用新案登録請求の範囲】
【請求項１】
ブローチ、ペンダント及びチャーム又はタグの３仕様に共用される同一基体裏面の空洞化により、基体の重量を軽量化し、使用資材を少量化し消費者の利便性を向上させ、経済負担を軽減化し、又経済産業上の生産性を向上させ、ペンダント仕様及びチャーム又はタグ仕様の場合、裏面の上部２箇所に、リング類で構成される簡潔な係止装置を設置し、２本組み吊下げ用紐又はチェーン類の着脱自在な簡略な操作を実現し、又ブローチ仕様の場合、基体裏面側の空洞化された底部に低く設置された基台に、ハンガー類、ピン類又はクリップ類等の係止器具を固定し、その係止器具がペンダント使用時に惹起する突起物としての違和感を着用者から解放し、又、同一基体をチャーム又はタグとしてバッグ類にも使用でき、或は同一基体をペットのタグとして付けられる技術に関する
【請求項２】
ブローチ、ペンダント及びチャーム又はタグの３仕様として共用される同一基体の裏面を空洞化し、平面を持つ基台を裏面に設置し、基台の表面に予め電信等で相互交信して得られた所有者のＩＤ情報を記入又は刻印し、非常時に遭遇した所有者のＩＤ情報を関係者に表示し、救難、介護等々の社会的な活動に貢献でき、又所有者のＩＤ情報入りチャーム又はタグが付いたカバン類の盗難、紛失、置き忘れ等々の予防等に貢献でき、ＩＤ情報を記載したチャーム又はタグとしてペットに付け迷い犬を防止できる技術に関する
【請求項３】
〔請求項１〕及び〔請求項２〕の技術は、宝飾品類、アクセサリー類、時計類、通信端末器類、情報端末器類、小型照明灯類、防犯ブザー類等が基体表面に附着されている場合又は基体内部に装着されている場合にも適用される。
【考案の詳細な説明】
【技術分野】
【０００１】この考案は、裏面を空洞化された同一基体をペンダント仕様とブローチ仕様及びチャーム又はタグ仕様の３つの仕様を容易に変換できる装置を提案し、且つ空洞化された基体裏面に予め電信等の相互交信で得られた所有者のＩＤ情報を記入又は刻印し、所有者が非常事態に遭遇した際、所有者のＩＤ情報を関係者に表示でき、救護、介護等々の社会的活動に役立ち、又カバン類に付着したチャーム又はタグにより盗難、紛失等の予防に資し、ペットのタグとして活用できる技術に関するものである。
【先行技術文献】
【特許文献】
【０００２】
【特許文献１】実用新案登録第３１８２５８２
【考案の概要】
【考案が解決しようとする課題】
【０００３】１）ペンダント仕様の同一基体をブローチ仕様に転換する従来技術（特許文献１）の、吊り下げ紐又はチェーンの係止装置の裏面と基体裏面とにそれぞれ磁石類又はファスナー類を両面に装着し着脱しなければならない複雑さから解放する新たな課題
２）従来技術（特許文献１）のハンガー又はクリップ等をブローチの基体裏面に装着する技術の場合も、基体裏面と、バンガー、ピン又はクリップ等の係止装置の裏面とにそれぞれ磁石類又はファスナー類を両面に装置し着脱しなければならない複雑さから解放する新たな課題
３）従来技術（特許文献１）の基体の資材が貴金属類を含む金属類の場合、全体重量を軽量化し、携帯者又は帯同者に負荷される重量を軽減し、同時に使用素材を少量化し、購入者の経済的負担を軽減する課題
４）基体裏面のプレートに予め電信等で相互交信して得られた所有者のＩＤ情報を刻印等で表記し、非常事態に遭遇した場合に所有者のＩＤ情報の表示で救難、介護等々の社会的な活動に貢献でき、或はチャーム又はタグが付着したバッグ類の紛失、盗難の予防に貢献でき、又ペットにタグを付けて迷い犬を防ぐことに貢献できる課題
【課題を解決するための手段】
【０００４】１）本考案は、ペンダント、ブローチ及びチャーム又はタグが共用する同一基体の裏面側を空洞化し、使用資材の少量化、及び軽量化を実現する技術、
２）ペンダント及びチャーム又はタグとしてそれぞれ別個に使用する時は、空洞化された同一基体の裏面上部の異なる２か所に吊下げ用２本組の紐又はチェーン類を係止するリング類を固定し、吊り下げ紐又はチェーン類を容易に着脱できる簡略な係止装置により従来技術（特許文献１）の複雑な着脱装置を不要にする技術。
３）ブローチとして使用する時は、空洞化された基体裏面側中央底部に低く設置された基台に、ハンガー類、ピン類又はクリップ類等の係止器具類を固定し、ハンガー類、ピン類又はクリップ類がペンダント使用時に違和感を覚える突起部にならない装着感を実現し、従来技術（特許文献１）で必要とされたハンガー類、ピン類又はクリップ類の複雑な着脱装置を不要とした技術
４）カバン類のチャーム又はタグとして使用するためにカバン類に付着させる紐又はチェーン類を空洞化された基体裏面の係止装置に付着させる技術
５）基体裏面の空洞化された中央底部に固定された基台の平らな表面に、予め電信等で相互交信をして得られた所有者のＩＤ情報を記入又は刻印し、所有者が非常事態に遭遇した場合、所有者のＩＤ情報を関係者に表示し救難、介護等々の社会的活動に貢献でき、又所有者のカバン類に付着したタグにより、盗難、置き忘れ等々の予防に貢献でき、更にペットのタグを付着し迷い犬を防止する技術
【考案の効果】
【０００５】従ってこの発明は、同一基体を使ってペンダント仕様とブローチ仕様とに仕様変更するために磁石類又はファスナー類で構成された複雑な操作と複雑な製造工程を持つ従来技術（特許文献１）に比較して、製造工程の簡略化と低コスト化を実現し、消費者の利便性及び操作性を向上させ、同時に非常時に遭遇した所有者のＩＤ情報を関係者に表示できる社会的な貢献を果たせる効果がある。
その他効果として次の点が挙げられる。
１）本考案は、宝飾品類、時計類、アクセサリー類、通信端末器類、情報端末器、防犯ブザー類、小型照明灯類が基体表面に付着されている場合、及び基体裏面に装着されている場合にも適用できる効果
２）ブローチ仕様の際、基体裏面側の空洞化された底部に低く固定された基台に設置された突起物たるハンガー類、ピン類又はクリップ類等の係止器具は、ペンダント仕様に転換する際に、従来技術の複雑な着脱装置の構造及び操作（特許文献１）を割合いでき、且つ違和感のない使用感を着用者に提案できる効果
３）ペンダント仕様の基体裏面の空洞化された上部２箇所に、吊り下げ用紐類又はチェーン類の着脱可能な簡略化された係止装置としてのリング類を固定すれば、従来技術の複雑な構造及び操作性を必要とされる着脱装置（特許文献１）を省略できる効果
４）ＩＤ情報を記入した基体の裏面に固定された係止装置に係止された紐類又はチェーン類は、バッグ類のチャーム又はタグとしてバッグ類の付着に活用でき、盗難、置き忘れ、又は取り違え等々を予防できる効果
５）更に基体裏面に係止された紐類又はチェーンをペットに付着し、ペットのＩＤ情報を記入したタグとし、迷い犬を防げる効果
６）基体裏面側の空洞化された中央底部に設置された基台の平らな表面に、予め電信等で相互交信して得られた所有者のＩＤ情報を記入又は刻印し、所有者が不測の事故に遭遇した際、関係者に所有者のＩＤ情報を表示できる社会的な役割を発揮できる効果
【産業上の効果】
【０００６】高価格な資材を共用基体として採用する場合、貴金属類又は金属類の基体の裏面側を空洞化することにより、資材の使用量の軽減化、及び重量の軽量化が実現され、社会経済的な低価格化が実現され、新規カテゴリーとしてのこの発明品の普及化が実現され、新規市場が開拓され、発明品の持つ新しい利便性の広範囲な普及が期待でき、経済産業上の新しい価値創造の振興に貢献できる新しい技術効果
【図面の簡単な説明】
【０００７】
【図１】本考案のペンダント仕様とブローチ仕様及びチャーム又はタグ仕様を共用した同一基体の立体斜視図である。
【図２】本考案のペンダント仕様とブローチ仕様及びチャーム又はタグ仕様を共用した同一基体の立体正面図ある。
【図３】本考案のペンダント仕様とブローチ仕様及びチャーム又はタグ仕様を共用した同一基体裏面側の空洞化された背面図である。
【図４】本考案のペンダント仕様とブローチ仕様及びチャーム又はタグ仕様を共用した同一基体裏面側の空洞化された左側の断面図である。
【図５】本考案のペンダント仕様とブローチ仕様及びチャーム又はタグ仕様を共用した同一基体裏面側の空洞化された右側の断面図である。
【図６】本考案のペンダント仕様とブローチ仕様及びチャーム又はタグ仕様を共用した同一基体の平面図である。
【図７】本考案のペンダント仕様とブローチ仕様及びチャーム又はタグ仕様を共用した同一基体の底面図である。
【考案を実施するための形態】
【０００８】本考案の実施の形態を図面に基づき説明する。図１乃至図７は本考案の実施の形態を示すものである。
図１は、本考案がブローチ、ペンダント及びチャーム又はタグの３仕様に適用される場合の立体斜視図である。
【０００９】図２に於いて、１ａはブローチ、ペンダント、チャーム又はタグとして共用する同一基体の表面を示しており、２ａはペンダント、チャーム又はタグを吊り下げる２本組みの紐又はチェーン類を着脱するために、基体裏面１ｂの上部に係止装置のリング２ｂを設置し（両方共に図示されていない）、平易な着脱を可能にした立体正面図である
【００１０】図３において、同一基体裏面１ｂの空洞化された空間１ｃを利用し、ペンダント仕様の場合に基体１ａが胸元で裏返しになるのを防ぐために基体裏面１ｂの上部の２カ所に固定した係止装置のリング２ｂに長さ調整可能な吊下げ用２本組み紐又はチェーン２ａを着脱自在に係止し、更にチャーム又はタグ仕様に適用する場合にも基体の表裏が裏返しにならないような係止装置を具現化した基体の立体背面図である。
【００１１】更に、図３においては、同一基体の空洞化された裏面１ｂにブローチ仕様のためのピン類３ａ等の係止器具を固定した基台３ｂを低く設置し、衣服類、スカーフ類、カバン類、及びその他身の回り品にピン類３ａ等の係止器具で簡易に着脱できることを示している。
【００１２】図３において、ブローチ仕様とペンダント仕様及びチャーム又はタグ仕様を共用した同一基体の空洞化された裏面１ｂに予め電信等で相互交信して得られた所有者のＩＤ情報を刻印できる平面を持つ基台４ａを設置し、所有者が非常事態に遭遇した時、或は所有者のバッグ類を紛失、置き忘れ、盗難等に遭遇した時に、更に、ペットのタグとして迷い犬防止として着用したとき、所有者のＩＤ情報を関係者に表示し問題解決できる社会的な役割を提案できることを示す。
【００１３】図４、及び図５は、ブローチ仕様とペンダント仕様及びチャーム又はタグ仕様を併用できる同一基体の裏面側を空洞化した場合の側面を左右それぞれに示す。
【００１４】図６、及び図７は、ブローチ仕様とペンダント仕様及びチャーム又はタグ仕様を共用した同一基体の平面図と底面図をそれぞれ示し、ブローチ仕様の際に用いられるピン類等の係止器具は、裏面の底部に低く接着された基台に固定され、ペンダント使用時にピン類等の係止器具から発生する突起物としての違和感を抑制できることを示す。
【符号の説明】
【００１５】１ａ    ブローチ、ペンダント、チャーム又はタグの３仕様の共用基体の表面
１ｂ    ブローチ、ペンダント、チャーム又はタグの３仕様の共用基体の裏面
１ｃ    ブローチ、ペンダント、チャーム又はタグの３仕様の共用基体裏面側の空洞部分
２ａ    ペンダント仕様、チャーム又はタグ仕様の吊下げ用２本組み紐又はチェーン
２ｂ    ペンダント仕様、チャーム又はタグ仕様の吊り下げ用２本組紐又はチェーンの係        止用装置としてのリング
３ａ    ブローチ仕様のためのピン類等の係止器具
３ｂ    ブローチ仕様のためのピン類の係止器具を固定する基台
４ａ    ネーム等所有者のＩＤ情報を記入又は刻印するための平面を持つ基台
【図１】
0003199971.tif 000003
【図２】
0003199971.tif 000004
【図３】
0003199971.tif 000005
【図４】
0003199971.tif 000006
【図５】
0003199971.tif 000007
【図６】
0003199971.tif 000008
【図７】
0003199971.tif 000009
【手続補正書】
【提出日】平成27年7月3日(2015.7.3)
【手続補正１】
【補正対象書類名】実用新案登録請求の範囲
【補正対象項目名】全文
【補正方法】変更
【補正の内容】
【実用新案登録請求の範囲】
【請求項１】
ブローチ、ペンダント及びチャーム又はタグに共用される同一基体裏面側の空洞化により、基体の重量を軽量化し、使用資材を少量化し消費者の利便性を向上させ、経済負担を軽減化し、又経済産業上の生産性を向上させ、ペンダント仕様及びチャーム又はタグ仕様の場合、空洞化された裏面側上部の２箇所に、リング類で構成される簡潔な係止装置を設置し、２本組み吊下げ用紐又はチェーン類の着脱自在な操作を簡略化し、又ブローチ仕様の場合、同一基体裏面側の空洞化された中央底部に低く設置された基台に、ハンガー類、ピン類又はクリップ類等の係止器具を固定し、ハンガー類、ピン類又はクリップ類等の係止器具がペンダント使用時に惹起する突起物の違和感を着用者から解放し、又、所有者のカバン類のチャーム又はタグとして付けられるブローチ、ペンダント、及びチャーム又はタグの３仕様を共用できる装置
【請求項２】
ブローチ、ペンダント及びチャーム又はタグとして共用される同一基体の裏面を空洞化し、所有者のネーム、血液型、その他のＩＤ情報を記入又は刻印できる平面を持つ基台を空洞化された裏面に設置し、基台の表面に予め電信等で相互交信して得られた所有者のＩＤ情報を記入又は刻印し、非常時に遭遇した所有者のＩＤ情報を関係者に表示し、救難、介護等々の社会的な活動に貢献でき、又所有者のＩＤ情報入りチャーム又はタグが付いたカバン類の盗難、紛失、置き忘れ等々の予防等に貢献でき、ＩＤ情報を記載したチャーム又はタグとしてペットに付け迷い犬を防止できることを特徴とする請求項１に記載のブローチ、ペンダント及びチャーム又はタグの３仕様を共用できる装置。
【請求項３】
宝飾品類、アクセサリー類、時計類、通信端末器類、小型照明灯類、防犯ブザー類が基体表面に附着されている場合又は基体内部に装着されている場合にも適用される請求項１又は２記載のブローチ、ペンダント、及びチャーム又はタグの３仕様を共用できる装置。